【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
複数の工程により構成される処理フローを実行する画像形成装置であって、
実行対象となる処理フローに、ユーザの指示を必要とする要指示工程が含まれているか否かを判定する判定手段と、
前記要指示工程が前記実行対象となる処理フローに含まれている場合、前記ユーザの指示を受付けるための操作画面を表示するための情報の報知先を選択する選択手段と、
前記選択手段によって選択された報知先に前記操作画面を表示するための情報を報知する報知制御手段と、
前記情報を用いて前記報知先で表示された前記操作画面を介して入力された指示内容に従って前記要指示工程の処理を実行する実行手段と
を備えることを特徴とする画像形成装置。
【請求項２】
前記要指示工程の終了または当該要指示工程の処理が指示待ち状態であるかを監視する監視手段を更に備え、
前記報知制御手段は、前記監視手段によって指示待ち状態であると判定され、予め決められた時間内にユーザからの指示が入力されなかった場合、前記要指示工程の処理を保留状態とし、前記要指示工程の処理を再開するための指示を入力するためのＵＲＬを生成して、ネットワークを介して接続され、前記選択手段により前記報知先として選択された情報処理装置に通知することを特徴とする請求項１に記載の画像形成装置。
【請求項３】
前記判定手段による判定の結果に基づき前記実行対象となる処理フローに複数の要指示工程が含まれている場合、
前記選択手段は、各要指示工程に対して、前記ネットワークを介して接続されている情報処理装置から指示を受付けるか、前記画像形成装置の操作部から指示を受付けるか、を選択することを特徴とする請求項２に記載の画像形成装置。
【請求項４】
前記判定手段の判定に基づき前記実行対象となる処理フローに第１の要指示工程及び第２の要指示工程が含まれている場合、
前記選択手段は、前記第１の要指示工程に対して、前記ユーザの指示を受付けるための操作画面を表示するための情報の報知先を選択し、
前記第１の要指示工程に対して選択された報知先に従って、前記第２の要指示工程に対して、前記ユーザの指示を受付けるための操作画面を表示するための情報の報知先を選択することを特徴とする請求項１乃至３のいずれか１項に記載の画像形成装置。
【請求項５】
前記保留状態となった要指示工程を識別するための保留識別情報と、前記ユーザを識別するためのユーザ識別情報と、前記保留状態となった要指示工程の実行を再開するために必要とされるデータを格納する格納手段を更に備えることを特徴とする請求項２に記載の画像形成装置。
【請求項６】
前記情報処理装置は、Ｗｅｂブラウザを使用して前記ＵＲＬに接続することが可能であることを特徴とする請求項２に記載の画像形成装置。
【請求項７】
前記ユーザを、前記ユーザ識別情報とパスワードとにより認証する認証手段と、
前記ユーザ識別情報と、前記保留識別情報とに基づき、前記保留状態となった要指示工程を特定する特定手段と、を更に備え、
前記操作画面は前記認証された前記ユーザからの指示を受付けることを特徴とする請求項５に記載の画像形成装置。
【請求項８】
複数の工程により構成される処理フローを実行する画像形成装置の制御方法であって、
判定手段が、実行対象となる処理フローに、ユーザの指示を必要とする要指示工程が含まれているか否かを判定する判定工程と、
前記要指示工程が前記実行対象となる処理フローに含まれている場合、選択手段が、前記ユーザの指示を受付けるための操作画面を表示するための情報の報知先を選択する選択工程と、
報知制御手段が、前記選択工程によって選択された報知先に前記操作画面を表示するための情報を報知する報知制御工程と、
実行手段が、前記情報を用いて前記報知先で表示された前記操作画面を介して入力された指示内容に従って前記要指示工程の処理を実行する実行工程と
を有することを特徴とする画像形成装置の制御方法。
【請求項９】
監視手段が、前記要指示工程の終了または当該要指示工程の処理が指示待ち状態であるかを監視する監視工程を更に有し、
前記報知制御工程は、前記監視工程によって指示待ち状態であると判定され、予め決められた時間内にユーザからの指示が入力されなかった場合、前記要指示工程の処理を保留状態とし、前記要指示工程の処理を再開するための指示を入力するためのＵＲＬを生成して、ネットワークを介して接続され、前記選択工程で前記報知先として選択された情報処理装置に通知することを特徴とする請求項８に記載の画像形成装置の制御方法。
【請求項１０】
前記判定工程による判定の結果に基づき前記実行対象となる処理フローに複数の要指示工程が含まれている場合、
前記選択工程は、各要指示工程に対して、前記ネットワークを介して接続されている情報処理装置から指示を受付けるか、前記画像形成装置の操作部から指示を受付けるか、を選択することを特徴とする請求項９に記載の画像形成装置の制御方法。
【請求項１１】
前記判定工程の判定に基づき前記実行対象となる処理フローに第１の要指示工程及び第２の要指示工程が含まれている場合、
前記選択工程は、前記第１の要指示工程に対して、前記ユーザの指示を受付けるための操作画面を表示するための情報の報知先を選択し、
前記第１の要指示工程に対して選択された報知先に従って、前記第２の要指示工程に対して、前記ユーザの指示を受付けるための操作画面を表示するための情報の報知先を選択することを特徴とする請求項８乃至１０のいずれか１項に記載の画像形成装置の制御方法。
【請求項１２】
前記保留状態となった要指示工程を識別するための保留識別情報と、前記ユーザを識別するためのユーザ識別情報と、前記保留状態となった要指示工程の実行を再開するために必要とされるデータを格納手段に格納する格納工程を更に有することを特徴とする請求項９に記載の画像形成装置の制御方法。
【請求項１３】
前記情報処理装置は、Ｗｅｂブラウザを使用して前記ＵＲＬに接続することが可能であることを特徴とする請求項９に記載の画像形成装置の制御方法。
【請求項１４】
認証手段が、前記ユーザを、前記ユーザ識別情報とパスワードとにより認証する認証工程と、
特定手段が、前記ユーザ識別情報と、前記保留識別情報とに基づき、前記保留状態となった要指示工程を特定する特定工程と、を更に有し、
前記操作画面は前記認証された前記ユーザからの指示を受付けることを特徴とする請求項１２に記載の画像形成装置の制御方法。
【請求項１５】
コンピュータを、請求項１乃至７のいずれか１項に記載の画像形成装置の各手段として機能させるためのプログラム。
【請求項１６】
請求項１５に記載のプログラムを格納したコンピュータ可読の記憶媒体。
【手続補正２】
【補正対象書類名】明細書
【補正対象項目名】００１３
【補正方法】変更
【補正の内容】
【００１３】
上記目的を達成するべく、本発明に係る画像形成装置は、複数の工程により構成される処理フローを実行する画像形成装置であって、
実行対象となる処理フローに、ユーザの指示を必要とする要指示工程が含まれているか否かを判定する判定手段と、
前記要指示工程が前記実行対象となる処理フローに含まれている場合、前記ユーザの指示を受付けるための操作画面を表示するための情報の報知先を選択する選択手段と、
前記選択手段によって選択された報知先に前記操作画面を表示するための情報を報知する報知制御手段と、
前記情報を用いて前記報知先で表示された前記操作画面を介して入力された指示内容に従って前記要指示工程の処理を実行する実行手段とを備えることを特徴とする。
【手続補正３】
【補正対象書類名】明細書
【補正対象項目名】００１４
【補正方法】変更
【補正の内容】
【００１４】
あるいは、本発明に係る画像形成装置の制御方法は、複数の工程により構成される処理フローを実行する画像形成装置の制御方法であって、
判定手段が、実行対象となる処理フローに、ユーザの指示を必要とする要指示工程が含まれているか否かを判定する判定工程と、
前記要指示工程が前記実行対象となる処理フローに含まれている場合、選択手段が、前記ユーザの指示を受付けるための操作画面を表示するための情報の報知先を選択する選択工程と、
報知制御手段が、前記選択工程によって選択された報知先に前記操作画面を表示するための情報を報知する報知制御工程と、
実行手段が、前記情報を用いて前記報知先で表示された前記操作画面を介して入力された指示内容に従って前記要指示工程の処理を実行する実行工程と
を有することを特徴とする。